(57)【要約】【課題】着用した上でパンプスを履いて歩行した時に、履き位置がずれたり脱げてしまったりすることのないフットカバーを提供する。【解決手段】このフットカバー１０００は、爪先と踵を含む足底とを被覆するとともに足甲および足首を露出するフットカバーであって、爪先部（３）、足底部（４）、側辺部（５）および踵部（６）で形成され、上側に開口部（２）を設け、踵部（６）外側に、踵部固定具（７）を設けた。【選択図】図１
2017137609.tif 000002
【特許請求の範囲】
【請求項１】
爪先と踵を含む足底とを被覆するとともに足甲および足首を露出するフットカバーであって、足底部、側辺部、踵部および爪先部で形成され、上側に開口部を設け、踵部外側に踵部固定具を設けたことを特徴とするフットカバー。
【発明の詳細な説明】
【技術分野】
【０００１】  本発明は、着用するとパンプス（履き口である甲部分が大きく開いている主として婦人用の靴）等の内側に隠れて見えなくなるフットカバーに関し、特に、歩行等の動作によっても脱げたり位置ずれすることが少ないフットカバーに関するものである。
【背景技術】
【０００２】  最近、パンプス等の靴を履く際に、パンプスから露出することのないフットカバーを着用することが定着している。このフットカバーを着用してパンプスを履けば、外観上、素足にパンプスを履いているように見え、足裏とパンプスとの間にはフットカバーが介するため、汗によって靴の中が蒸れることを防止することができる。【０００３】  なお、このようなものを、本明細書ではフットカバーと記載するが、ソックスカバー、インナーソックス、ヌードソックス、カバーソックス等と記載される場合もある。
このようなフットカバーはパンプスから露出しないよう開口部が大きくカットされているため、歩行中の摩擦等によって履き位置がずれたり、脱げたりすることがあるが、開口部を小さくするとパンプスから露出してしまう。このような問題点に鑑みて開発されたフットカバーが、以下の先行技術文献に開示されている。【０００４】  特開平１０−２９２２０６号広報（特許文献１）は、歩行時におけるパンプスとフットカバーとの摩擦によってフットカバーが素足から脱げることを防止するために、踵当接部内面に摩擦付与体を取り付けたフットカバーを開示する。
実用新案登録第３１６５７３３号広報（特許文献２）は、特許文献１に開示されたフットカバーの開口部の周縁に沿ってゴム紐を設けたのでは、ゴム紐が足に食い込むため、履き心地が良くないという問題に鑑み、開口部の周縁に沿って平ゴムを設けて一面が足に接するようにした帯状伸縮部を形成したフットカバーを開示する。
特開２０１５−１５８０３１号広報（特許文献３）は、特許文献１と特許文献２に開示されたいずれのフットカバーも、開口部の周縁にゴムを縫着したり貼付する上に、踵部に滑り止めを設け、製造工数が増えるという問題と、ゴムが開口部全周に設けられているのでゴムが足の各部分に当たり履き心地がよくないという問題点に鑑み、開口部の周縁に沿った側辺部と踵部に、伸縮性および粘着性を備えた帯状のシリコーンを設けているフットカバーを開示する。
【先行技術文献】
【特許文献】
【０００５】
【特許文献１】特開平１０−２９２２０６号広報
【特許文献２】実用新案登録第３１６５７３３号広報
【特許文献３】特開２０１５−１５８０３１号広報
【発明の概要】
【発明が解決しようとする課題】
【０００６】  特許文献１に開示されたフットカバーは、履き口の周縁にゴムを設けるとともに踵当接部内面に摩擦付与体（ゴム材）を設けており、特許文献２に開示されたフットカバーは、開口部の周縁に平ゴムを設けるとともに着用者の踵に当接する後部内面にシリコーンゲルにより形成された滑り止めを設けており、特許文献３に開示されたフットカバーは、開口部の周縁に沿った側辺部と踵部に、伸縮性および粘着性を備えた帯状のシリコーンを設けている。【０００７】  しかしながら、このようなフットカバーは、（１）フットカバーの開口部の周縁にゴムを縫着したり貼付したりする必要がある上に踵部に滑り止めを設ける必要があり、製造工数が増える、（２）開口部の周縁のゴムや踵部の摩擦体・シリコーン等が足の各部分に当たり履き心地がよくない、（３）フットカバーが脱げたりずれるのを防止する点において、ゴム・摩擦体・シリコーン等の伸縮性や粘着性では、強い力がかかったり長時間歩行した時に対応しきれないという問題点がある。
本発明は、従来技術の上述の問題点に鑑みて開発されたものであり、その目的とするところは、歩行時にフットカバーが脱げてしまったり履き位置がずれてしまったりすることがないフットカバーを提供することを目的とする。
【課題を解決するための手段】
【０００８】  上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、前記踵部外側に、フットカバー踵部固定具を設けたことを特徴とする。
【発明の効果】
【０００９】  本発明のフットカバーは、踵部外側に踵部固定具が設けられているので、このフットカバーを着用して、踵部固定具をパンプスの外側に引っ掛けてパンプスを履くと、フットカバーの位置が固定され、歩行時にフットカバーが脱げてしまったり履き位置がずれてしまったりすることがないようにできる。
【図面の簡単な説明】
【００１０】
【図１】本発明の実施形態のフットカバーを着用した上でパンプスを履いた状態を示した斜視図である。
【図２】本発明の実施形態のフットカバーの模式的平面図である。
【図３】本発明の実施形態のフットカバーの踵部外側の拡大図である。
【発明を実施するための形態】
【００１１】    以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。
【００１２】  図１・図２・図３に本発明の実施の形態に係るフットカバー１０００を示す。
【００１３】  このフットカバー１０００は着用者の足（８）の爪先と踵を含む足底とを被覆するとともに足甲および足首を露出するフットカバーである。
このフットカバー１０００は、着用者の足を覆う生地（１）からなり、爪先部（３）、足底部（４）、側辺部（５）および踵部（６）で形成され、上側に開口部（２）が設けられている。
【００１４】  このフットカバー１０００において、後述する踵部固定具（７）は、フットカバー本体を縫着する前にフットカバー１０００の生地に取り付けても、縫着した後にフットカバー１０００の生地に取り付けても、いずれでも構わない。また、踵部固定具（７）をフットカバー１０００の生地に設ける方法は、縫着・接着や、それ以外の方法であっても構わない。
【００１５】  このフットカバー１０００においては、上部に開口部（２）が、爪先部（３）、側辺部（５）および踵部（６）により形成されている。そして、このフットカバー１０００には、パンプスの踵部外側に引っ掛けてフットカバーをパンプスに固定する踵部固定具（リボン・ポンポン等、様々な形状の固定具で構わない。）が設けられており、フットカバーが歩行時に脱げるのを防止する機能を備えている。
この踵部固定具（８）は、フットカバーが踵部（６）からずれて脱げることを防止する、最も有効な手段であり、外観的にも、パンプスのアクセサリーとしての役割をも果たし、好ましい。
【００１６】  なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００１７】  本発明は、素足で履くフットカバーに好適であり、歩行時にフットカバーが脱げてしまったり履き位置がずれてしまったりすることがない点で、特に好ましい。
【符号の説明】
【００１８】１０００    フットカバー
１    生地
２    開口部
３    爪先部
４    足底部
５    側辺部
６    踵部
７    踵部固定具
８    足
９    パンプス
【図１】
2017137609.tif 000003
【図２】
2017137609.tif 000004
【図３】
2017137609.tif 000005